(57)【特許請求の範囲】
【請求項１】
無線通信装置本体と、この無線通信装置本体に着脱可能に装着された無線モジュールとからなる無線通信装置であって、
前記無線モジュールは、無線信号を送受信する無線送受信手段と、前記無線送受信手段の使用可能な通信システムのリストおよび前記使用可能な通信システムを使用するときの前記無線送受信手段の作動特性に基づいたデータでありかつ前記無線通信装置本体が読み込んで通信制御を行うためのデータである調整データを記録している適合システム情報記憶手段と、前記無線通信装置本体に、着脱可能に装着されるための第１の着脱装着手段と、を備え、
前記無線通信装置本体は、通信システムを切り替えて使用することができ、前記適合システム情報記憶手段から読み込んだ前記リストに適合しない通信システムで前記無線送受信手段による通信を禁止するものであって、前記無線モジュールを着脱可能に装着するための第２の着脱装着手段と、使用する通信システムを切り替える通信システム切替手段と、前記無線モジュールから前記リストおよび前記調整データを読み込む手段と、前記使用する通信システムが前記無線モジュールから読み込んだ前記リストに適合しない通信システムであるときにその通信システムでの通信を禁止する適合通信手段と、前記使用する通信システムが前記無線モジュールから読み込んだ前記リストに適合する通信システムであるときに前記無線モジュールから読み込んだ前記調整データに基づいて前記使用する通信システムでの通信制御を行う通信処理制御手段と、を備えていることを特徴とする無線通信装置。
【発明の詳細な説明】
【０００１】
【発明の属する技術分野】
本発明は、無線通信装置に関するものであり、例えば車載通信装置に用いて好適である。
【０００２】
【従来の技術】
移動体通信の普及に従い、車両に通信機器を搭載し、移動中に各種の通信サービスを享受することが一般的となりつつなる。これらのサービスのために使用される通信システムは、地域ごと、そのサービス提供事業者ごとに異なっているのが実状で、今後もその傾向は変わることがないと見込まれる。そのため、これらのサービスを受けるためには各種通信システムに対応した無線通信装置が移動体に搭載されることが必要となる。このような異なる通信システムに対応するための装置として、マルチバンド、マルチシステム対応の無線通信機が実用化されている。
【０００３】
また、近年ソフトウェアを変更するのみで無線通信装置の機能を変更し、異なった通信システムに対応するよう回路構成を再構成できるようなソフトウェア無線通信装置の開発が進んでいる。このソフトウェア無線通信装置はその機能変更に対する柔軟性を鑑みれば、寿命が１０年という、通信機器の寿命と比べてライフサイクルが大幅に長い車への搭載に適していると言える。
【０００４】
【発明が解決しようとする課題】
しかし、無線通信機の現状として、全ての構成要素を再構成可能なものとするには技術的困難が伴う。この困難に対処するために、無線通信装置を再構成が可能な部分と再構成が困難な部分とに分け、再構成可能な部分を本体とし、再構成困難な無線部分をモジュール化して、使用する通信システムを変えるごとに本体に装着する無線モジュールを取り替えることにより、複数のシステムに対応する無線通信装置を提供しようという技術がある。
【０００５】
しかしこの場合、再構成可能な部分が現在使用する通信システムに対応しない無線モジュールを装着してしまった場合、不要な電波が放射されてしまう恐れがある。
【０００６】
また、無線通信装置では、ハードウェア、特に無線回路部分を含むアナログ回路は個々に作動特性のばらつきを持っているが、無線モジュールを取り替えて通信を行う無線通信装置においては、本体部分は装着された無線モジュールの特性を知らないので、ばらつきの補正を行うように調整して再構成を行うことができず、やはり不要な電波が放射されてしまう恐れがある。
【０００７】
本発明は上記点に鑑み、着脱可能な無線モジュールと本体とから成る無線通信装置において、不要な電波の放射を防止することを目的とする。
【０００８】
【課題を解決するための手段】
上記目的を達成するため、請求項１に記載の発明は、無線通信装置本体と、この無線通信装置本体に着脱可能に装着された無線モジュールとからなる無線通信装置であって、
前記無線モジュールは、無線信号を送受信する無線送受信手段と、前記無線送受信手段の使用可能な通信システムのリストおよび前記使用可能な通信システムを使用するときの前記無線送受信手段の作動特性に基づいたデータでありかつ前記無線通信装置本体が読み込んで通信制御を行うためのデータである調整データを記録している適合システム情報記憶手段と、前記無線通信装置本体に、着脱可能に装着されるための第１の着脱装着手段と、を備え、
前記無線通信装置本体は、通信システムを切り替えて使用することができ、前記適合システム情報記憶手段から読み込んだ前記リストに適合しない通信システムで前記無線送受信手段による通信を禁止するものであって、前記無線モジュールを着脱可能に装着するための第２の着脱装着手段と、使用する通信システムを切り替える通信システム切替手段と、前記無線モジュールから前記リストおよび前記調整データを読み込む手段と、前記使用する通信システムが前記無線モジュールから読み込んだ前記リストに適合しない通信システムであるときにその通信システムでの通信を禁止する適合通信手段と、前記使用する通信システムが前記無線モジュールから読み込んだ前記リストに適合する通信システムであるときに前記無線モジュールから読み込んだ前記調整データに基づいて前記使用する通信システムでの通信制御を行う通信処理制御手段と、を備えていることを特徴としている。
【０００９】
これにより、この無線モジュールが備える適合システム情報記憶手段に記録された使用可能な通信システムのリストによって、装着される対象の無線通信装置本体で使用しようとする通信システムが無線モジュールにおいて使用不可能であることがわかれば、その通信システムでの通信が禁止されるので、着脱可能な無線モジュールと本体とから成る無線通信装置において、不要な電波の放射を防止することができる。
【００１６】
【発明の実施の形態】
図１に、本発明の一実施形態に係る車載の無線通信装置５０の構成をブロック図で示す。無線通信装置５０は、無線モジュール１０、無線通信装置本体２０、車載アンテナ３０、止め板３１、およびネジ３２により構成されている。無線モジュール１０と無線通信装置本体２０とは別体となっている。また、無線モジュール１０は無線通信装置本体２０に装着されている。これによって無線モジュール１０は無線通信装置本体２０に電気的に接続されている。止め板３１が無線通信装置本体２０にネジ３２により止められていることにより、無線モジュール１０は無線通信装置本体２０に固定されている。また車載アンテナ３０と無線通信装置本体２０とは電気的に接続されている。
【００１７】
無線モジュール１０は、送受信切替部１１、送信部１２、受信部１３、発振部１４、記憶素子１５、およびモジュール側コネクタ１６により構成されている。また無線通信装置本体２０はＣＰＵ２１、メモリ２２、ソフト切替制御部２３、変調部２４、復調部２５、ベースバンド信号処理部２６、インターフェース２７、アンテナコネクタ２８、および本体側コネクタ２９により構成されている。
【００１８】
モジュール側コネクタ１６は、無線モジュール１０が無線通信装置本体２に装着されるためのコネクタである。また本体側コネクタ２９は、無線モジュール１０を無線通信装置本体２に装着するためのコネクタである。このモジュール側コネクタ１６と本体側コネクタ２９とが互いに嵌合することにより、無線モジュール１０は無線通信装置本体２０に装着されるようになっている。また、モジュール側コネクタ１６と本体側コネクタ２９には、無線モジュール１０と無線通信装置本体２０との間の全ての信号線が通っている。従って、このモジュール側コネクタ１６および本体側コネクタ２９によって、無線モジュール１０と無線通信装置本体２０との全ての電気的接続が媒介されている。また、止め板３１を外し、これらのコネクタの抜き差しを行うことで、無線モジュール１０は無線通信装置本体２０に着脱可能となっている。
【００１９】
送受信切替部１１は、アンテナコネクタ２８を介して車載アンテナ３０に接続されており、このアンテナ３０を送信に使用するか受信に使用するかを切り替えるものである。
【００２０】
送信部１２は、変調部２４から変調されたＩ信号、Ｑ信号を受信して、無線信号の周波数に変換した後に増幅し、これをアンテナ３０に出力するものである。またＣＰＵ２１からの制御により出力電力の調整を受けるようになっている。
【００２１】
受信部１３は、アンテナ３０で受信した信号を増幅し、中間周波数に変換し、復調部２５に出力するものである。またＣＰＵ２１によって受信電力がモニタリングされるようになっている。
【００２２】
発振部１４は送信部１２、受信部１３における周波数変換のための局部発振信号を出力するものである。この発振部１４は、ＣＰＵ２１から発振周波数の制御を受けるようになっている。また、ＣＰＵ２１またはベースバンド信号処理部２６から発振周波数の微調整の制御を受けるようになっている。
【００２３】
記憶素子１５は、無線モジュール１０の通信システム対応を示すモジュール識別情報を記録しているものである。このモジュール識別情報については後述する。このモジュール識別情報はＣＰＵ２１によって読み込み可能なようになっている。
【００２４】
ＣＰＵ２１は、ソフト切替制御部２３を制御することによりメモリ２２から各種通信システムの処理のためのソフトウェアを読み込み、そのソフトウェアに従って通信処理を行うものである。またＣＰＵ２１は無線通信のための受信データ、制御データをベースバンド処理部２６から受信し、また無線通信のための送信データ、制御データ、並びにメモリ２２から受信したソフトウェアデータをベースバンド信号処理部２６に出力するものである。またＣＰＵ２１は、インターフェース２７を介して外部の機器と制御や情報のやりとりを行うものである。またＣＰＵ２１は送信部１２の出力電力を調整することができるようになっており、また受信部１３の受信電力をモニターすることができるようになっている。さらにＣＰＵ２１は記憶素子１５から、後述する無線モジュール１０の通信システム対応を示すモジュール識別情報を読み込むことができるようになっている。そしてＣＰＵ２１は、使用する通信システムに基づいて変調部２４および復調部２５の作動を制御するものである。またＣＰＵ２１は、発振部１４の発振周波数の制御や周波数の微調整を行うものである。
【００２５】
メモリ２２は、ＣＰＵ２１およびベースバンド信号処理部２６が各通信システムの処理のために必要とするソフトウェアが記録されており、それらのソフトウェアは必要に応じてソフト切替制御部２３の制御によりＣＰＵ２１およびベースバンド信号処理部２６に読み込まれるようになっている。
【００２６】
ソフト切替制御部２３は、ＣＰＵ２１からの制御を受けることにより、ＣＰＵ２１およびベースバンド信号処理部２６が必要とするソフトウエアのデータがメモリ２２中で格納されているアドレスを検索し、それらのデータがＣＰＵ２１およびベースバンド信号処理部部２６に読み込まれるようにメモリ２２を制御するものである。
【００２７】
変調部２４は、ベースバンド信号処理部２６から受信した送信データを変調してＩ信号とＱ信号に分離して送信部１２に出力するものである。また、ＣＰＵ２１によって制御されることにより、使用する通信システムに対応した動作をすることができるようになっている。
【００２８】
復調部２５は、受信部１３から受信した信号を復調してベースバンド信号処理部２６に受信データとして出力するものである。また、ＣＰＵ２１によって制御されることにより、使用する通信システムに対応した動作をすることができるようになっている。
【００２９】
ベースバンド信号処理部２６は、復調部２４から受信した受信データに対して並べ替え、伸長、デコード等の処理を行い、ＣＰＵ２１が処理できるような形式のデータに変換した後ＣＰＵ２１に出力するものである。またＣＰＵ２１から出力されたデータの並べ替え、圧縮、エンコード等の処理を行い、またＣＰＵ２１からの命令に基づいてデータを生成し、それらを送信データとして変調部２４に出力するものである。また、ベースバンド信号処理部２６は、ＣＰＵ２１を介してメモリ２２からソフトウェアを読み込んで実行するものである。またインターフェース２７を介して外部の機器と制御や情報のやりとりを行うものである。またベースバンド信号処理部２６は発振部１４の発振周波数の微調整を行うものである。
【００３０】
インターフェース２７は、外部の機器に接続され、制御や情報のやりとりの仲介を行うものである。インターフェースとしては、例えばＵＳＢインターフェイス、イーサネットインターフェース、車内ＬＡＮインターフェース等を用いることができる。外部の機器としては、例えばパソコン等の情報機器、キーボードやマイク／スピーカ等のユーザーインターフェース、温度センサや車両のエアバッグ展開センサ等の物理デバイスなどを用いることができる。
【００３１】
アンテナコネクタ２８は、車載アンテナ３０の端子が接続されるようになっている。これにより、送受信切替部１１が車載アンテナ３０を使用して無線信号の送受信を行うことが可能となっている。
【００３２】
このような構成の無線通信装置５０において、無線モジュール１０を構成する送受信切替部１１、送信部１２、受信部１３および発振部１４は主にアナログ信号を処理する装置である。これらはソフトウェアによる通信システムの切替によって再構成可能となるようにすることは難しい。一方、無線通信装置本体２０を構成するＣＰＵ２１、メモリ２２、ソフト切替制御部２３、変調部２４、復調部２５、およびベースバンド信号処理部２６は、主にデジタル信号を処理する装置である。これらはソフトウェアによる通信システムの切替によって再構成可能とすることが容易である。
【００３３】
また、無線モジュール１０において、記憶素子１５は、上述の通り無線モジュール１０の通信システム対応を示すモジュール識別情報を記録している。図２にこのモジュール識別情報のデータ構造の一例を示す。まずモジュール識別情報の先頭には無線モジュール１０の製造番号が記録されており、それに続いて製造者コードが記録されている。
【００３４】
製造者コードに続いて、通信システムのコードとその適用判定コードとが対となったデータが複数記録される。通信システムのコードとは、このモジュール識別情報を読み込むＣＰＵ２１によって相当する通信システムが一意に判別できるようなコードのことである。具体的には、図２に示すＣＤＭＡＯＮＥ（Ｊａｐａｎ）、ＰＤＣ（Ｊａｐａｎ１．５）、ＰＤＣ（Ｊａｐａｎ８００）等のように通信システムの名称を表す文字列であってもよい。適用判定コードとは、対となっている通信システムが当該無線モジュール１０において使用可能か否かをＣＰＵ２１が判別できるようなコードのことである。具体的には図２に示すように、文字列Ｔならば使用可能、文字列Ｆならば使用不可、という形式であってもよい。なお、これらは使用可能な通信システムのリストであり、使用不可能な通信システムのリストである。
【００３５】
これら通信システムコードと適用判別コードの対が複数続いた後に、これら通信システムごとの調整データが記録されている。この調整データとは、複数製造された無線モジュール１０において、それぞれの無線モジュール１０の作動特性の設計値からのばらつきをデータ化したものである。このばらつきのデータは無線モジュールの工場出荷時にテストを行うことにより記録される。
【００３６】
調整データとしては、例えば各通信システムにおいてＣＰＵ２１が送信部１２に出力させるべき電力の調整用のパラメータ、ＣＰＵ２１が受信部１３の受信する信号の電力を判定するときの調整パラメータ等を用いることができる。またこれらの調整パラメータは使用時の無線モジュールの温度にも依存するので、パラメータは温度ごとの調整値のテーブルという形式になっていてもよい。また発振部１４における高周波発振源の周波数特性も個々の無線モジュール１０および使用温度に依存するので、その値あるいは温度ごとの値のテーブルも調整データとすることができる。
【００３７】
なお、この調整データにおいては、必ずしも１まとまりの調整データが１つの通信システムに対応していなくともよく、１まとまりの調整データが複数の通信システム用、あるいは全ての通信システム用のパラメータであってもよい。
【００３８】
このような構成の無線通信装置５０が通信において受信、送信を行う作動は以下に示す通りである。ＣＰＵ２１およびベースバンド信号処理部２６が、使用する通信システムに対応するソフトウェアをメモリ２２から読み込み、ＣＰＵ２１はソフトウェアに従ってメモリ２２、変調部２４、復調部２５、ベースバンド信号処理部２６、およびインターフェース２７を制御する。
【００３９】
アンテナ３０によって受信された無線信号は、送受信切替部１１によって受信部１３に出力され、受信部１３で増幅および周波数変換されて復調部２５に出力される。復調部２５はこの信号をソフトウェアの仕様に基づいた処理を行いベースバンド信号に復調してベースバンド信号処理部２６に出力する。ベースバンド信号処理部２６はソフトウェアの仕様に基づいた処理を行いこのベースバンド信号の並べ替え、伸長、デコード等の処理を施した後ＣＰＵ２１に出力する。そしてＣＰＵ２１でこの信号はソフトウェアの仕様に基づいて処理される。
【００４０】
またＣＰＵ２１によって生成された送信のための信号は、まずベースバンド信号処理部２６に出力される。ベースバンド信号処理部２６ではこの信号は並べ替え、圧縮、エンコード等の処理を施された後変調部２４に出力される。変調部２４ではこの信号は変調されて送信部１２へ出力される。ここまでの処理は、用いているソフトウェアの仕様に基づいて行われる。送信部１２では信号は増幅および周波数変換されて送受信切替部１１に出力される。そして送受信切替部１１はアンテナ３０を使用して無線信号を出力する。
【００４１】
このようにして無線信号の送信、受信が行われる。
【００４２】
このような構成および作動の無線通信装置５０が使用通信システムを変更するとき、および無線モジュールを付け替えるときは、無線通信装置５０の電源はオフからオンとなるか、あるいはＣＰＵ２１やベースバンド信号処理部２６がリセット動作をするようになっている。
【００４３】
図３に、このような使用通信システムを変更するとき、および無線モジュール１０を付け替えるときのＣＰＵ２１の処理をフローチャートで示す。
【００４４】
まずステップ１００でＣＰＵ２１が電源オンにより起動するか、あるいはリセット動作をする。そしてＣＰＵ２１は使用する通信システムのソフトウェアをメモリ２２から読み込むためにソフト切替制御部２３を制御する。
【００４５】
そして、ステップ１１０にてＣＰＵ２１は無線モジュール１０のモジュール識別情報中の無線モジュール１０の製造番号および製造コードを記憶素子１５から読みとる。次にステップ１２０にて無線モジュール１０のモジュール識別情報中の通信システムコード、適用判定コード、および調整データを読み込み、これから使用するソフトウェアの情報と照合する。
【００４６】
そしてステップ１３０にて、上記した照合に基づいて無線モジュール１０がこれから使用するソフトウェアの通信システムに対応しているか、つまりソフトウェアと無線モジュール１０の対応システムは合致すなわち適合しているか否かを判定する。
【００４７】
合致していないと判定すると、ステップ１４０にてＣＰＵ２１はこのソフトウェアによる通信を行わず、ＷＡＲＮＩＮＧ表示等でユーザーに対応する通信システムが合致していないことを警告し、モジュールの入れ替えを指示するための処理を行う。
【００４８】
合致していると判定すると、処理はステップ１５０に移り、読み込んだ調整データに基づいてシステムの初期化を行い、ソフトウェアの所定の通常動作で通信データの処理および通信のための制御処理を開始する。このときＣＰＵ２１は、発振部１４を制御し、使用する通信システムに対応する発振周波数を出力するようにする。またこのときベースバンド処理部２６は、発振部１４を制御し、出力する発振周波数の微調整をする。
【００４９】
このように、無線通信装置本体２０は新たな通信システムを使用するためにソフトウェアを使用する際、無線モジュール１０の記憶素子１５からモジュール識別情報を読みとり、そのモジュール識別情報に基づき、使用しようとする通信システムが当該無線モジュール１０の対応する通信システムと合致しないことを判定すれば、通信を行わない、すなわち通信を禁止する。
【００５０】
したがって、着脱可能な無線モジュール１０と無線通信装置本体２０とから成る無線通信装置５０において、不要な電波の放射を防止することができる。
【００５１】
また、無線通信装置本体２０は読み込んだ調整データに基づいて通信制御を行い、使用可能な通信システムにおける通信において、無線モジュール１０の作動特性に基づいた通信を行うことができるので、不要な電波の放射を防止することができる。
【００５２】
なお、本実施形態においては、アンテナ３０を使用して無線信号の送信、受信を行う送信部１２および受信部１３は、無線信号を送受信する無線送受信手段を構成する。
【００５３】
また、記憶素子１５は、無線送受信手段の使用可能な通信システムのリストを記録している適合システム情報記憶手段を構成する。ただし、適合システム情報記憶手段は無線送受信手段の使用可能な通信システムのリストを記録していればよいのであって、記憶素子１５は半導体メモリであっても磁気記憶装置であっても光学記憶装置であってもよい。
【００５４】
また、図３に示すステップ１５０の制御処理が、通信データの処理及び通信制御を行う通信処理制御手段を構成する。ただし、通信処理制御手段は通信データの処理及び通信制御を行えばよいのであって、必ずしもソフトウェア的処理によって構成されていなくともよく、専用のハードウェアとして実現されていてもよい。
【００５５】
また、図３に示すステップ１２０の読み込み処理は、無線モジュールから無線送受信手段の使用可能な通信システムのリストを読み込むリスト読み込み手段を構成している。ただし、リスト読み込み手段はリストを読み込む機能を有していればよいのであって、必ずしもソフトウェア的処理によって構成されていなくともよく、専用のハードウェアとして実現されていてもよい。
【００５６】
また、図３に示すステップ１３０からステップ１４０までの通信を禁止する処理は、無線モジュールから読み込んだリストに基づいて使用可能でない通信システムでの通信を禁止する適合通信手段を構成する。ただし、適合通信手段は上記のような処理を行えばよいのであって、必ずしもソフトウェア的処理によって構成されていなくともよく、専用のハードウェアとして実現されていてもよい。またステップ１４０では、ウォーニング表示等でユーザーに対応する通信システムが合致していないことを警告し、モジュールの入れ替えを指示するための処理を行っているが。これらは例えば当該通信システムを使用しない旨を音声によって通知する処理に代えてもよい。
【００５７】
また、本体側コネクタ２９と嵌合するモジュール側コネクタ１６が、無線通信装置本体に着脱可能に装着されるための第１の着脱装着手段を構成する。ただし、これはかならずしもコネクタである必要はなく、無線通信装置本体に着脱可能に装着されるためのものであればどのようなものでもよい。例えば、無線モジュール１０が基板上のパターンとして形成されており、その基板の辺部に突出部が設けられ、その突出部にパターンの無線通信装置本体２０との導通部分が集められ、この突出部が無線通信装置本体２０のスロットに差し込まれるようになっていてもよい。このような場合は、突出部が第１の装着手段を構成する。
【００５８】
また、モジュール側コネクタ１６と嵌合する本体側コネクタ２９が、無線モジュールを着脱可能に装着するための第２の着脱装着手段を構成する。ただし、これはかならずしもコネクタである必要はなく、無線モジュールを着脱可能に装着するためのものであればどのようなものでもよい。例えば、上記した突出部が無線通信装置本体２０に設けられており、それが無線モジュール１０のスロットに差し込まれることによって装着が成されるようになっていてもよい。このような場合は、突出部が第２の着脱装着手段を構成する。
【００５９】
また、無線モジュールが無線通信装置本体に着脱可能に装着されるとは、本実施形態のように必ずしもモジュール側コネクタ１６と本体側コネクタ２９とが勘合し、止め板３１が無線通信装置本体２０にネジ３２により止められている必要はなく、例えば単にコネクタ同士の嵌合のみであってもよい。
【００６０】
また、メモリ２２を制御し、このメモリ２２中の通信システムのソフトウェアをＣＰＵ２１およびベースバンド信号処理部部２６に読み込まれるようにするソフト切替制御部２３が、使用する通信システムを切り替える通信システム切替手段を構成する。ただし、通信システム切替手段は使用する通信システムを切り替えるものならどのようなものでもよく、例えばソフト切替制御部２３の機能をＣＰＵ２１の処理機能としてソフトウェア的に構成してもよい。
【００６１】
また、使用可能な通信システムのリストは、必ずしも本実施形態のように通信システムのコードとその適用判定コードとが対となったデータが複数記録されるようなものである必要はなく、例えば使用可能な通信システムの情報のみが記載されたものであってもよい。
【００６２】
また、本実施形態においては、図３に示したステップ１００の処理において、無線通信装置５０が使用通信システムを変更するとき、および無線モジュール１０を付け替えるときは、無線通信装置５０の電源はオフからオンとなるか、あるいはＣＰＵ２１やベースバンド信号処理部２６がリセットされるようになっているが、必ずしもリセットや電源のオフ→オンが必要であるわけではなく、例えばＣＰＵ２１において複数の通信ソフトウェアを並列処理によって同時に実行し、通信システムを変更するときはそれらを切り替えることによってリセットや電源のオフ→オンを行わないようにしてもよい。また、この並列処理は１つのＣＰＵ２１内で行われる必要はなく、例えば１つの無線通信装置５０がＣＰＵを複数持ち、個々のＣＰＵが別々の通信システムのソフトウェアを実行するようにしてもよい。
【００６３】
また、この無線通信装置５０を搭載するものについては、上記した実施形態のように車である必要はなく、例えば船舶、自動２輪車等であってもよい。また、無線通信装置５０が移動体に搭載されている必要もない。
【図面の簡単な説明】
【図１】本発明に示した一実施形態における、無線通信装置５０を示す図である。
【図２】記憶素子１５に記録されるモジュール識別情報のデータ構造を示す図である。
【図３】通信システムのソフトを新たに使用するときのＣＰＵ２１の処理を示すフローチャートである。
【符号の説明】
１０…無線モジュール、１１…送受信切替部、１２…送信部、１３…受信部、
１４…発振部、１５…記憶素子、１６…モジュール側コネクタ、
２０…無線通信装置本体、２１…ＣＰＵ、２２…メモリ、
２３…ソフト切替制御部、２４…変調部、２５…復調部、
２６…ベースバンド信号処理部、２７…インターフェース、
２８…アンテナコネクタ、２９…本体側コネクタ、３０…車載アンテナ、
５０…無線通信装置。
【図１】
0003879531.tif 000002
【図２】
0003879531.tif 000003
【図３】
0003879531.tif 000004